(57)【要約】【課題】  外部装置との通信中に電源がオフになった後、再度の電源オン時に再接続を試みるか否かを適切に制御していなかった。【解決手段】  外部装置と第一の通信方式で通信する第一の通信手段と、通信パラメータを外部装置と共有する第二の通信手段と、ユーザの操作および通信パラメータの共有のいずれかに応じて、第一の通信方式での外部装置との通信を確立するよう制御する制御手段と、を有し、ユーザの操作に応じて確立した外部装置との通信中に通信装置の電源がオフになった後に、通信装置の電源がオンになった場合、自動的に第一の通信方式で外部装置と通信するよう制御し、通信パラメータの共有に応じて確立した外部装置との通信中に通信装置の電源がオフになった後に、通信装置の電源がオンになった場合、自動的に第一の通信方式で外部装置と通信するよう制御しないことを特徴とする通信装置。【選択図】  図１
2017085518.tif 000002
【特許請求の範囲】
【請求項１】
通信装置であって、
外部装置と第一の通信方式で通信する第一の通信手段と、
前記第一の通信方式とは異なる第二の通信方式で前記外部装置と通信し、前記第一の通信方式での通信を確立するために用いる通信パラメータを、前記外部装置と共有する第二の通信手段と、
前記第一の通信方式で前記外部装置と通信するためのユーザの操作を受け付ける受け付け手段と、
前記受け付け手段により受け付けられたユーザの操作および前記第二の通信手段による前記通信パラメータの共有のいずれかに応じて、前記第一の通信方式での前記外部装置との通信を確立するよう制御する制御手段と、を有し、
前記ユーザの操作に応じて確立した前記外部装置との通信中に前記通信装置の電源がオフになった後に、前記通信装置の電源がオンになった場合、前記制御手段は、自動的に前記第一の通信方式で前記外部装置と再び通信するよう制御し、
前記第二の通信手段による前記通信パラメータの共有に応じて確立した前記外部装置との通信中に前記通信装置の電源がオフになった後に、前記通信装置の電源がオンになった場合、前記制御手段は、自動的に前記第一の通信方式で前記外部装置と再び通信するよう制御しないことを特徴とする通信装置。
【請求項２】
前記通信装置は、記録媒体に記録されている画像を再生する再生モードを含む複数のモードのうち、いずれかのモードで動作し、
前記再生モードでないモード中に共有された前記通信パラメータを用いて前記第二の通信手段により確立された前記外部装置との通信中に前記通信装置の電源がオフになった後に、前記通信装置の電源がオンになった場合、前記制御手段は、前記電源がオフになる際の前記外部装置との通信が前記第二の通信手段による前記通信パラメータの共有に応じて確立した通信であっても、自動的に第一の通信方式で前記外部装置と再び通信するよう制御し、
前記再生モード中に共有された前記通信パラメータを用いて前記第二の通信手段により確立された前記外部装置との通信中に前記通信装置の電源がオフになった後に、前記通信装置の電源がオンになった場合、前記制御手段は、自動的に第一の通信方式で前記外部装置と再び通信しないよう制御することを特徴とする請求項１に記載の通信装置。
【請求項３】
前記記録媒体に記録されている画像を前記通信装置に対する操作で前記外部装置に送信する第一の通信モードと、前記記録媒体に記録されている画像を前記外部装置に対する操作で前記外部装置に送信する第二の通信モードと、を有し、
前記第一の通信モードで前記外部装置と通信中に前記通信装置の電源がオフになった後に、前記通信装置の電源がオンになった場合、前記制御手段は、前記外部装置との通信が前記第二の通信手段による前記通信パラメータの共有に応じて確立した通信であっても、自動的に第一の通信方式で前記外部装置と再び通信するよう制御し、
前記第二の通信モードで前記外部装置と通信中に前記通信装置の電源がオフになった後に、前記通信装置の電源がオンになった場合、前記制御手段は、自動的に第一の通信方式で前記外部装置と再び通信しないよう制御することを特徴とする請求項１または２に記載の通信装置。
【請求項４】
前記制御手段は、前記電源がオフになる際の前記外部装置との通信が、前記第二の通信手段による前記通信パラメータの共有に応じて確立した通信であるか、前記ユーザの操作に応じて確立した通信であるかを判断し、
前記第二の通信モードで前記外部装置と通信中に前記通信装置の電源がオフになった後に、前記通信装置の電源がオンになった場合、前記制御手段は、前記電源がオフになる際の前記外部装置との通信が、前記第二の通信手段による前記通信パラメータの共有に応じて確立した通信であるか、前記ユーザの操作に応じて確立した通信であるかを判断することなく、自動的に第一の通信方式で前記外部装置と再び通信しないよう制御することを特徴とする請求項３に記載の通信装置。
【請求項５】
前記通信装置は、前記通信装置の電源のオンおよびオフの指示を受け付ける電源ボタンを更に有し、
前記制御手段は、所定時間ユーザ操作が受け付けられなかった場合に、自動的に前記通信装置の電源をオフにするよう制御するオートパワーオフ機能を更に有することを特徴とする請求項１乃至４のいずれか１項に記載の通信装置。
【請求項６】
前記通信装置は、前記通信装置の電源のオンおよびオフの指示を受け付ける電源ボタンを更に有し、
前記制御手段は、所定時間ユーザ操作が受け付けられなかった場合に、自動的に前記通信装置の電源をオフにするよう制御するオートパワーオフ機能を更に有し、
前記外部装置との通信中に前記電源ボタンの操作により前記通信装置の電源がオフになった後に、前記通信装置の電源がオンになった場合、前記制御手段は、前記電源がオフになる際の前記外部装置との通信が前記ユーザの操作に応じて確立した通信であっても、自動的に第一の通信方式で前記外部装置と通信するよう制御しないことを特徴とする請求項１乃至４のいずれか１項に記載の通信装置。
【請求項７】
前記外部装置との通信中に前記オートパワーオフ機能により前記通信装置の電源がオフになった後に、前記通信装置の電源がオンになった場合、前記制御手段は、前記電源がオフになる際の前記外部装置との通信が前記第二の通信手段による前記通信パラメータの共有に応じて確立した通信であっても、自動的に第一の通信方式で前記外部装置と通信するよう制御することを特徴とする請求項６に記載の通信装置。
【請求項８】
前記通信装置は、前記通信装置の電源のオンおよびオフの指示を受け付ける電源ボタンを更に有し、
前記制御手段は、所定時間ユーザ操作が受け付けられなかった場合に、自動的に前記通信装置の電源をオフにするよう制御するオートパワーオフ機能を更に有し、
前記外部装置との通信中に前記電源ボタンの操作により前記通信装置の電源がオフになった後に、前記通信装置の電源がオンになった場合、前記制御手段は、前記電源がオフになる際の前記外部装置との通信が前記第二の通信手段による前記通信パラメータの共有に応じて確立した通信であっても、自動的に第一の通信方式で前記外部装置と通信するよう制御することを特徴とする請求項１乃至４のいずれか１項に記載の通信装置。
【請求項９】
前記外部装置との通信中に前記オートパワーオフ機能により前記通信装置の電源がオフになった後に、前記通信装置の電源がオンになった場合、前記電源がオフになる際の前記外部装置との通信が前記ユーザの操作に応じて確立した通信であっても、自動的に第一の通信方式で前記外部装置と通信するよう制御しないことを特徴とする請求項８に記載の通信装置。
【請求項１０】
通信装置であって、
外部装置と第一の通信方式で通信する第一の通信手段と、
前記外部装置と前記第一の通信方式よりも消費電力の小さい第二の通信方式で通信する第二の通信手段と、
前記通信装置の電源のオンおよびオフの指示を受け付ける電源ボタンと、
所定時間ユーザ操作が受け付けられなかった場合に、自動的に前記通信装置の電源をオフにするよう制御するオートパワーオフ機能を有する制御手段と、を有し、
前記外部装置との通信中に前記オートパワーオフ機能により前記通信装置の電源がオフになった後に、前記通信装置の電源がオンになった場合、前記制御手段は、自動的に第一の通信方式で前記外部装置と通信するよう制御し、
前記外部装置との通信中に前記電源ボタンの操作により前記通信装置の電源がオフになった後に、前記通信装置の電源がオンになった場合、前記制御手段は、自動的に第一の通信方式で前記外部装置と通信するよう制御せず、
前記通信装置の電源がオフになる場合、前記第二の通信手段を有効にすることを特徴とする通信装置。
【請求項１１】
外部装置と第一の通信方式で通信する第一の通信手段と、前記第一の通信方式とは異なる第二の通信方式で前記外部装置と通信し、前記第一の通信方式での通信を確立するために用いる通信パラメータを、前記外部装置と共有する第二の通信手段と、を有する通信装置の制御方法であって、
前記第一の通信方式で前記外部装置と通信するためのユーザの操作を受け付ける受け付けステップと、
前記受け付けステップで受け付けられたユーザの操作および前記第二の通信手段による前記通信パラメータの共有のいずれかに応じて、前記第一の通信方式での前記外部装置との通信を確立するよう制御する制御ステップと、
前記ユーザの操作に応じて確立した前記外部装置との通信中に前記通信装置の電源がオフになった後に、前記通信装置の電源がオンになった場合、自動的に前記第一の通信方式で前記外部装置と再び通信するよう制御し、前記第二の通信手段による前記通信パラメータの共有に応じて確立した前記外部装置との通信中に前記通信装置の電源がオフになった後に、前記通信装置の電源がオンになった場合、自動的に前記第一の通信方式で前記外部装置と再び通信するよう制御しないステップとを有する通信装置の制御方法。
【請求項１２】
外部装置と第一の通信方式で通信する第一の通信手段と、前記外部装置と前記第一の通信方式よりも消費電力の小さい第二の通信方式で通信する第二の通信手段と、電源のオンおよびオフの指示を受け付ける電源ボタンとを有する通信装置の制御方法であって、
所定時間ユーザ操作が受け付けられなかった場合に、自動的に前記通信装置の電源をオフにするよう制御するオートパワーオフ機能を制御するステップと、
前記外部装置との通信中に前記オートパワーオフ機能により前記通信装置の電源がオフになった後に、前記通信装置の電源がオンになった場合、自動的に第一の通信方式で前記外部装置と通信するよう制御し、前記外部装置との通信中に前記電源ボタンの操作により前記通信装置の電源がオフになった後に、前記通信装置の電源がオンになった場合、自動的に第一の通信方式で前記外部装置と通信するよう制御しないステップと、
前記通信装置の電源がオフになる場合、前記第二の通信手段を有効にするステップとを有する通信装置の制御方法。
【請求項１３】
コンピュータを、請求項１乃至１０のいずれか１項に記載の通信装置の各手段として機能させるためのコンピュータが読み取り可能なプログラム。
【発明の詳細な説明】
【技術分野】
【０００１】
本発明は、無線通信により外部装置と通信する通信装置に関する。
【背景技術】
【０００２】
従来、カメラと外部機器との間の無線通信が、ユーザが意図していないにもかかわらず切断されてしまう場合があった。具体的には、電源ボタンの誤操作や、記録媒体の抜き差し、電池交換などの操作によって、ユーザが意図せずにカメラの電源をオフにしてしまうことで無線通信が切断される。この場合、ユーザは再度電源をオンにして、無線設定をやり直すという手間が必要である。このユーザが再度無線通信の設定を入力する手間を省くために、電源オフになる際に無線通信中であった場合には、次に電源オンとなったときに自動的に最後に通信していた通信パラメータでの通信を試みるよう制御することが行われている。これにより、通信相手が通信範囲内に存在すれば、自動的に再接続することができる。
【０００３】
一方、近年、近接無線通信を用いて、無線通信の通信パラメータをカメラと外部機器とで共有し、ユーザの入力操作を必要とすることなく無線通信を行うことができる機器も登場してきている。これにより、再接続のみならず、カメラと外部機器とが最初に接続するときも無線通信の設定を入力する手間を省き、より手軽に接続することができる。
【先行技術文献】
【特許文献】
【０００４】
【特許文献１】特開２０１１−２４４３２７号公報
【発明の概要】
【発明が解決しようとする課題】
【０００５】
しかしながら、近接無線通信を利用して無線通信を確立する場合と、ユーザが設定を入力して無線通信を確立する場合とでは、ユーザの利用シーンが異なる場合が多いと考えられる。例えば、近接無線通信を利用して無線通信を確立する場合は、通信パラメータの入力が不要であることから、カメラのユーザではなく他人の機器と一時的に通信する際に用いられやすい。この場合には、再度の電源オン時に自動的に他人の機器と接続することはセキュリティの観点から避けるべきである。また、再度の電源オン時に自動的に接続せずとも、再度近接させるだけで再接続できるため、省略できるユーザ操作の量という観点から、自動的に再接続を試みる必要性は薄い。
【０００６】
そこで、本発明では、再度の電源オン時に再接続を試みるか否かを適切に制御することを目的とする。
【課題を解決するための手段】
【０００７】
上記目的を達成するために、本発明の通信装置は、外部装置と第一の通信方式で通信する第一の通信手段と、前記第一の通信方式とは異なる第二の通信方式で前記外部装置と通信し、前記第一の通信方式での通信を確立するために用いる通信パラメータを、前記外部装置と共有する第二の通信手段と、前記第一の通信方式で前記外部装置と通信するためのユーザの操作を受け付ける受け付け手段と、前記受け付け手段により受け付けられたユーザの操作および前記第二の通信手段による前記通信パラメータの共有のいずれかに応じて、前記第一の通信方式での前記外部装置との通信を確立するよう制御する制御手段と、を有し、前記ユーザの操作に応じて確立した前記外部装置との通信中に前記通信装置の電源がオフになった後に、前記通信装置の電源がオンになった場合、前記制御手段は、自動的に前記第一の通信方式で前記外部装置と再び通信するよう制御し、前記第二の通信手段による前記通信パラメータの共有に応じて確立した前記外部装置との通信中に前記通信装置の電源がオフになった後に、前記通信装置の電源がオンになった場合、前記制御手段は、自動的に前記第一の通信方式で前記外部装置と再び通信するよう制御しないことを特徴とする。
【発明の効果】
【０００８】
本発明によれば、電源オン時に再接続を試みるか否かを適切に制御することが出来る。
【図面の簡単な説明】
【０００９】
【図１】（ａ）第１の実施形態におけるデジタルカメラのブロック図である。（ｂ）、（ｃ）第１の実施形態におけるデジタルカメラの外観図である。
【図２】第１の実施形態における、デジタルカメラとスマートフォンとからなる通信システムのイメージ図である。
【図３】（ａ）第１の実施形態における、ユーザのメニュー操作によってデジタルカメラとスマートフォンとの無線ＬＡＮ通信の確立処理を行う場合の操作を説明するための図である。（ｂ）近接無線通信によってデジタルカメラとスマートフォンとの無線ＬＡＮ通信の確立処理を行う場合の操作を説明するための図である。
【図４】第１の実施形態における、ユーザのメニュー操作によって確立した無線ＬＡＮ通信の再接続手順を説明するためのシーケンス図である。
【図５】第１の実施形態における、近接無線通信によって確立した無線ＬＡＮ通信の再接続手順を説明するためのシーケンス図である。
【図６】（ａ）第１の実施形態におけるデジタルカメラの無線ＬＡＮ接続の切断動作を示すフローチャートである。（ｂ）第１の実施形態におけるデジタルカメラの無線ＬＡＮ接続の再接続動作を示すフローチャートである。
【図７】（ａ）第２の実施形態におけるデジタルカメラが再生モードでない状態で近接無線通信を用いて無線ＬＡＮ接続を確立する様子を示す図である。（ｂ）第２の実施形態におけるデジタルカメラが再生モードの状態で近接無線通信を用いて無線ＬＡＮ接続を確立する様子を示す図である。
【図８】第２の実施形態における、再生モード以外の状態で近接無線通信によって確立した無線ＬＡＮ通信の再接続手順のシーケンス図である。
【図９】第２の実施形態における、再生モードの状態で近接無線通信によって確立した無線ＬＡＮ通信の再接続手順のシーケンス図である。
【図１０】（ａ）第２の実施形態におけるデジタルカメラの無線ＬＡＮ接続の切断動作を示すフローチャートである。（ｂ）第２の実施形態におけるデジタルカメラの無線ＬＡＮ接続の再接続動作を示すフローチャートである。
【図１１】その他の実施形態におけるデジタルカメラのブロック図である。
【発明を実施するための形態】
【００１０】
以下に、本発明を実施するための形態について、添付の図面を用いて詳細に説明する。
【００１１】
なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１２】
［第１の実施形態］
＜デジタルカメラの構成＞
図１（ａ）は、本実施形態の通信装置の一例であるデジタルカメラ１００の構成例を示すブロック図である。なお、ここでは通信装置の一例としてデジタルカメラについて述べるが、通信装置はこれに限られない。例えば通信装置は携帯型のメディアプレーヤや、いわゆるタブレットデバイス、パーソナルコンピュータなどの情報処理装置であってもよい。
【００１３】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１４】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体１１０に記録される。
【００１５】
不揮発メモリ１０３は、電気的に消去・記録可能な不揮発性のメモリであり、制御部１０１で実行される後述のプログラム等が格納される。
【００１６】
作業用メモリ１０４は、撮像部１０２で撮像された画像データを一時的に保持するバッファメモリや、表示部１０６の画像表示用メモリ、制御部１０１の作業領域等として使用される。
【００１７】
操作部１０５は、ユーザがデジタルカメラ１００に対する指示をユーザから受け付けるために用いられる。操作部１０５は例えば、ユーザがデジタルカメラ１００の電源のＯＮ／ＯＦＦを指示するための電源ボタンや、撮影を指示するためのレリーズスイッチ、画像データの再生を指示するための再生ボタンを含む。さらに、後述の無線通信部１１１を介して外部機器との通信を開始するための専用の接続ボタンなどの操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００１８】
表示部１０６は、撮影の際のビューファインダー画像の表示、撮影した画像データの表示、対話的な操作のための文字表示などを行う。なお、表示部１０６は必ずしもデジタルカメラ１００が内蔵する必要はない。デジタルカメラ１００は内部又は外部の表示部１０６と接続することができ、表示部１０６の表示を制御する表示制御機能を少なくとも有していればよい。
【００１９】
記録媒体１１０は、撮像部１０２から出力された画像データを記録することができる。記録媒体１１０は、デジタルカメラ１００に着脱可能なよう構成してもよいし、デジタルカメラ１００に内蔵されていてもよい。すなわち、デジタルカメラ１００は少なくとも記録媒体１１０にアクセスする手段を有していればよい。
【００２０】
無線通信部１１１は、外部装置と接続するためのインターフェースである。本実施形態のデジタルカメラ１００は、無線通信部１１１を介して、外部装置とデータのやりとりを行うことができる。例えば、撮像部１０２で生成した画像データを、無線通信部１１１を介して外部装置に送信することができる。なお、本実施形態では、無線通信部１１１は外部装置とＩＥＥＥ８０２．１１の規格に従った、いわゆる無線ＬＡＮで通信するためのインターフェースを含む。制御部１０１は、無線通信部１１１を制御することで外部装置との無線通信を実現する。なお、通信方式は無線ＬＡＮに限定されるものではなく、例えば赤外通信方式も含む。無線通信部１１１は第１の無線通信手段の一例である。
【００２１】
近接無線通信部１１２は、例えば無線通信のためのアンテナと無線信号を処理するため変復調回路や通信コントローラから構成される。近接無線通信部１１２は、変調した無線信号をアンテナから出力し、またアンテナで受信した無線信号を復調することで非接触近接通信を実現する。ここでは、ＩＳＯ／ＩＥＣ  １８０９２の規格（いわゆるＮＦＣ：Ｎｅａｒ  Ｆｉｅｌｄ  Ｃｏｍｍｕｎｉｃａｔｉｏｎ）に従った非接触近接通信を実現する。本実施形態の近接無線通信部１１２は、デジタルカメラ１００の側部に配される。
【００２２】
後述するスマートフォン２００とは、互いの近接無線通信部を近接させることにより通信を開始して接続される。なお、近接無線通信部を用いて接続させる場合、必ずしも近接無線通信部同士を接触させる必要はない。近接無線通信部は一定の距離だけ離れていても通信することができるため、互いの機器を接続するためには、近接無線通信可能な範囲まで近づければよい。以下の説明では、この近接無線通信可能な範囲まで近づけることを、近接させる、とも記載する。
【００２３】
また、互いの近接無線通信部が近接無線通信可能な範囲にあって、デジタルカメラ１００がスマートフォン２００と接続されている状態から、互いの近接無線通信部が近接無線通信不可能な範囲に離れてしまった場合は、接続が解除される。なお、近接無線通信部１１２が実現する非接触近接通信はＮＦＣに限られるものではなく、他の無線通信を採用してもよい。例えば、近接無線通信部１１２が実現する非接触近接通信としてＩＳＯ／ＩＥＣ  １４４４３の規格に従った非接触近接通信を採用してもよい。
【００２４】
本実施形態では、無線通信部１１１により実現される通信の通信速度は、近接無線通信部１１２により実現される通信の通信速度よりも速い。また、無線通信部１１１により実現される通信は、近接無線通信部１１２による通信よりも、通信可能な範囲が広い。その代わり、近接無線通信部１１２による通信では、通信可能な範囲の狭さにより通信相手を限定することができるため、無線通信部１１１により実現される通信で必要な暗号鍵の交換等の処理を必要としない。すなわち、無線通信部１１１を用いるよりも手軽に通信することができる。
【００２５】
なお、本実施形態におけるデジタルカメラ１００の無線通信部１１１は、インフラストラクチャモードにおけるアクセスポイントとして動作するＡＰモードと、インフラストラクチャモードにおけるクライアントとして動作するＣＬモードとを有している。そして、無線通信部１１１をＣＬモードで動作させることにより、本実施形態におけるデジタルカメラ１００は、インフラストラクチャモードにおけるＣＬ機器として動作することが可能である。デジタルカメラ１００がＣＬ機器として動作する場合、周辺のＡＰ機器に接続することで、ＡＰ機器が形成するネットワークに参加することが可能である。また、無線通信部１１１をＡＰモードで動作させることにより、本実施形態におけるデジタルカメラ１００は、ＡＰの一種ではあるが、より機能が限定された簡易的なＡＰ（以下、簡易ＡＰ）として動作することも可能である。デジタルカメラ１００が簡易ＡＰとして動作すると、デジタルカメラ１００は自身でネットワークを形成する。デジタルカメラ１００の周辺の装置は、デジタルカメラ１００をＡＰ機器と認識し、デジタルカメラ１００が形成したネットワークに参加することが可能となる。上記のようにデジタルカメラ１００を動作させるためのプログラムは不揮発メモリ１０３に保持されているものとする。
【００２６】
なお、本実施形態におけるデジタルカメラ１００はＡＰの一種であるものの、ＣＬ機器から受信したデータをインターネットプロバイダなどに転送するゲートウェイ機能は有していない簡易ＡＰである。したがって、自機が形成したネットワークに参加している他の装置からデータを受信しても、それをインターネットなどのネットワークに転送することはできない。
【００２７】
次に、デジタルカメラ１００の外観について説明する。図１（ｂ）、図１（ｃ）はデジタルカメラ１００の外観の一例を示す図である。レリーズスイッチ１０５ａや再生ボタン１０５ｂ、方向キー１０５ｃ、タッチパネル１０５ｄ、電源ボタン１０５ｅは、前述の操作部１０５に含まれる操作部材である。また、表示部１０６には、撮像部１０２による撮像の結果得られた画像が表示される。また、本実施形態のデジタルカメラ１００は、カメラ筺体の側面に近接無線通信部１１２のアンテナ部分を有する。この近接無線通信部１１２同士を一定の距離に近づけることにより、他の機器と近接無線通信を確立することができる。これにより、ケーブル等を介さずに非接触で通信可能であると共に、ユーザの意図に沿って通信相手を限定することができる。
【００２８】
以上がデジタルカメラ１００の説明である。
【００２９】
＜システム概要＞
図２は本実施形態のデジタルカメラ１００が、スマートフォン２００とからなる通信システムのイメージ図である。本実施形態のデジタルカメラ１００は、第一の無線通信方式であるＮＦＣを用いてスマートフォン２００と通信する。さらに、第二の無線通信方式である無線ＬＡＮを介して両機器が通信を確立するために必要な通信パラメータを、ＮＦＣを介して共有する。これにより、ユーザは両機器を近づけるだけで簡単に無線ＬＡＮによる無線通信を確立することができる。
【００３０】
＜接続手順の概要＞
図３はデジタルカメラ１００とスマートフォン２００の無線ＬＡＮ接続手順を説明するための図である。図３（ａ）はユーザのメニュー操作によってデジタルカメラ１００とスマートフォン２００との無線ＬＡＮ通信の確立処理を行う場合の操作を説明するための図である。図３（ａ）において、デジタルカメラ１００は、方向キー１０５ｃやタッチパネル１０５ｄを介してユーザから無線通信メニューの表示、および無線機能の実行の指示を受け付ける。例えばユーザは、画面に表示されるガイダンスに応じて、はい／いいえの選択することで指示を入力する。
【００３１】
無線機能の実行の指示が入力されたならば、これからデジタルカメラ１００が生成するネットワークの識別子であるＳＳＩＤ（Ｓｅｒｖｉｃｅ  Ｓｅｔ  Ｉｄｅｎｔｉｆｉｅｒ）やパスワードを表示部１０６に表示させる。
【００３２】
ユーザは、この表示を確認しながら、スマートフォン２００にて、カメラの表示部１０６に表示されているＳＳＩＤとパスワードを入力し、スマートフォン２００をデジタルカメラ１００が生成するネットワークへ参加させる。その後、例えばスマートフォン２００にて、所定のアプリケーションを実行することで、デジタルカメラ１００とのアプリレイヤーでの接続を自動的に確立し、無線通信を用いたサービスの利用が可能となる。
【００３３】
以上が、操作部１０５を操作してデジタルカメラ１００とスマートフォン２００との無線ＬＡＮ通信の確立処理を行う場合の操作手順である。
【００３４】
図３（ｂ）は、近接無線通信によってデジタルカメラ１００とスマートフォン２００との無線ＬＡＮ通信の確立処理を行う場合の操作を説明するための図である。図３（ｂ）において、ユーザはデジタルカメラ１００の近接無線通信部１１２を、スマートフォン２００の近接無線通信部に近接させる。これにより、ＮＦＣによる通信を行い、無線ＬＡＮを介して両機器が通信を確立するために必要な通信パラメータを、両機器間で共有する。その後、デジタルカメラ１００は共有した通信パラメータを用いて自動的にネットワークを生成し、一方スマートフォン２００は共有した通信パラメータを用いて、デジタルカメラ１００が生成するネットワークに自動的に参加する。これにより、ユーザは単に機器同士を近づけるだけで、無線ＬＡＮを介した通信を確立することができる。
【００３５】
＜ユーザのメニュー操作によって確立した無線ＬＡＮ通信の再接続手順＞
図４は、本実施形態におけるデジタルカメラ１００を操作し、通信パラメータをユーザが入力することで確立した無線ＬＡＮの接続が切断された後、再接続する手順を示すシーケンス図である。
【００３６】
まず、操作部１０５によりデジタルカメラ１００とスマートフォン２００が無線ＬＡＮ接続を行うための操作を行う。この操作の概略は図３（ａ）で説明した通りである。これにより、制御部１０１は操作部１０５から制御信号が入力される（Ｐ４０１）。
【００３７】
次に、制御部１０１は無線通信部１１１に対して無線ＬＡＮ接続開始を要求する（Ｐ４０２）。また、このステップでは並行して、制御部１０１は表示部１０６にスマートフォン２００と無線ＬＡＮで接続するために必要な情報を表示させる。具体的には、デジタルカメラ１００が生成するネットワークの識別子であるＳＳＩＤ（Ｓｅｒｖｉｃｅ  Ｓｅｔ  Ｉｄｅｎｔｉｆｉｅｒ）やパスワードが表示される。無線通信部１１１は制御部１０１からの無線ＬＡＮ接続開始の要求に応じてＡＰ機能を起動してビーコンの発信を開始し、ネットワークを生成する。
【００３８】
一方、スマートフォン２００にてユーザはデジタルカメラ１００の表示部１０６に表示されているＳＳＩＤやパスワードを入力する。これにより、スマートフォン２００は、デジタルカメラ１００の無線通信部１１１が生成したネットワークへ参加することで、デジタルカメラ１００とスマートフォン２００の無線ＬＡＮ接続を確立する（Ｐ４０３）。
【００３９】
無線ＬＡＮの接続が確立したならば、無線通信部１１１は制御部１０１にスマートフォン２００との無線ＬＡＮ接続が完了した旨を通知する（Ｐ４０４）。
【００４０】
制御部１０１は無線通信部１１１からの無線ＬＡＮ接続完了通知を受けて、不揮発メモリ１０３にスマートフォン２００との接続情報を書き込む（Ｐ４０５）。これにより不揮発メモリ１０３に接続情報が記憶される（Ｐ４０６）。接続情報とは、上記での述べたＳＳＩＤのほかにも、無線ＬＡＮのチャネル番号やデジタルカメラ１００のＩＰアドレス、スマートフォン２００のＭＡＣアドレス等が含まれる。デジタルカメラ１００とスマートフォン２００の無線ＬＡＮ接続処理は以上で完了する。その後、ユーザはデジタルカメラ１００とスマートフォン２００の間で無線通信機能を利用することができる。
【００４１】
ここで、例えばユーザが誤って電源ボタン１０５ｅを押下することによりデジタルカメラ１００の電源ＯＦＦの処理が開始されてしまった場合を考える。この場合、操作部１０５から制御部１０１にカメラ電源ＯＦＦのトリガが発行される（Ｐ４０７）。
【００４２】
これを受けた制御部１０１は、実際にカメラの電源をＯＦＦにする前に、不揮発メモリ１０３に対して、現在の無線ＬＡＮ接続は、操作部１０５に対するユーザ操作により確立された接続であることを示す情報（接続形態）を書き込む（Ｐ４０８）。不揮発メモリ１０３には操作部１０５で無線ＬＡＮ接続した情報が記憶される（Ｐ４０９）。
【００４３】
その後、制御部１０１は無線通信部１１１に対して無線ＬＡＮ切断を要求する（Ｐ４１０）。無線通信部１１１は無線ＬＡＮ切断要求を受けて、スマートフォン２００との無線ＬＡＮ接続を切断する（Ｐ４１１）。
【００４４】
切断処理が完了すると、無線通信部１１１は制御部１０１に対して無線ＬＡＮ切断完了を通知する（Ｐ４１２）。制御部１０１は無線ＬＡＮ切断完了通知を受けて、図１で説明したデジタルカメラ１００を構成している各周辺装置への電源供給を停止する（Ｐ４１３）。デジタルカメラ１００の電源ＯＦＦ処理は以上で完了する。
【００４５】
さて、ここでユーザが、誤って電源をＯＦＦにしてしまったことに気づき、再度電源をＯＮにすることを考える。
【００４６】
この場合、ユーザは再度電源ボタン１０５ｅを押下する。これにより、制御部１０１にカメラ電源ＯＮの指示が入力される（Ｐ４１４）。制御部１０１はカメラ電源ＯＮの指示を受けて、図１で説明したデジタルカメラ１００を構成している各周辺装置への電源供給を開始する（Ｐ４１５）。この時、制御部１０１は不揮発メモリ１０３から接続形態を読み出す（Ｐ４１６）。そして、制御部１０１は読み出した接続形態が、無線ＬＡＮ接続が操作部１０５に対するユーザ操作により確立された接続であることを示すか否かを確認する（Ｐ４１７）。
【００４７】
ここでは、無線ＬＡＮ接続が操作部１０５に対するユーザ操作により確立された接続であることを示すことが確認され、制御部１０１は、再接続すべきであると判断する。なぜなら、ユーザが設定を入力して無線通信を確立する場合は、通信パラメータのパスワードなどをカメラと外部機器の双方に入力する必要があるため、他人の機器と接続するのではなく、自分の携帯電話などと接続する場合が多いと考えられる。また、近接無線通信を利用しないということは、通信相手が近接無線通信に対応していない可能性がある。そのため、この場合には再接続するほうが、ユーザの手間を省くことができる可能性がより高いと考えられる。したがって、制御部１０１は記憶部１０３から接続情報を読み出す（Ｐ４１８）。そして、制御部１０１は無線通信部１１１に対して、読み出した接続情報を用いて無線ＬＡＮ接続を開始するよう要求する（Ｐ４１９）。無線通信部１１１は制御部１０１からの要求に応じて、接続情報に基づきスマートフォン２００と再度無線ＬＡＮ接続を行う（Ｐ４２０）。無線ＬＡＮ接続処理が完了すると、無線通信部１１１は制御部１０１にスマートフォン２００との無線ＬＡＮ接続が完了した旨を通知する（Ｐ４２１）。以上でデジタルカメラ１００とスマートフォン２００の無線ＬＡＮ再接続処理が完了する。
【００４８】
なお、Ｐ４１５にて各部への電力が供給されると、デジタルカメラ１００は撮影モードに入り、スルー画像の表示を開始する。Ｐ４１６〜Ｐ４２１の動作は、この撮影モードにおける動作のバックグラウンドで並行して行われる。
【００４９】
＜近接無線通信によって確立した無線ＬＡＮ通信の再接続手順＞
図５は、本実施形態におけるデジタルカメラ１００の近接無線通信部を用いて通信パラメータを共有することで確立した無線ＬＡＮの接続が切断された後、再接続する手順を示すシーケンス図である。
【００５０】
まず、ユーザは図３（ｂ）のように、スマートフォン２００をデジタルカメラ１００の近接無線通信部１１２に近接させる（Ｐ５０１）。これにより、デジタルカメラ１００とスマートフォン２００の間でのＮＦＣ通信を行い、無線ＬＡＮ接続に用いる通信パラメータを共有する（Ｐ５０２）。本実施形態では、デジタルカメラ１００のＮＦＣタグに記録されている通信パラメータをスマートフォン２００のＮＦＣリーダライタが読み出すことによって、機器間での通信パラメータの共有を実現する。
【００５１】
また、近接無線通信部１１２は制御部１０１に対してＮＦＣでの通信があったことを通知する（Ｐ５０３）。これに応じて制御部１０１は近接無線通信部１１２から通信パラメータを読み出し、無線通信部１１１に対して、読み出した通信パラメータを用いて無線ＬＡＮ接続を開始するよう要求する（Ｐ５０４）。
【００５２】
この要求に応じて、無線通信部１１１はＡＰ機能を起動してビーコンの発信を開始し、ネットワークを生成する。
【００５３】
一方、スマートフォン２００はＰ５０２で取得した通信パラメータを用いてデジタルカメラ１００のネットワークに参加することで、デジタルカメラ１００とスマートフォン２００の無線ＬＡＮ接続を行う（Ｐ５０５）。スマートフォン２００との無線ＬＡＮ接続が完了した場合、無線通信部１１１は制御部１０１に対して無線ＬＡＮ接続完了を通知する（Ｐ５０６）。
【００５４】
この通知を受けた制御部１０１は不揮発メモリ１０３に対してスマートフォン２００との無線ＬＡＮ接続情報を、通信履歴として書き込む（Ｐ５０７）。不揮発メモリには制御部１０１から通知された接続情報が記憶される（Ｐ５０８）。デジタルカメラ１００とスマートフォン２００の無線ＬＡＮ接続処理は以上で完了する。
【００５５】
ここで、例えばユーザが電源ボタン１０５ｅを押下することによりデジタルカメラ１００の電源ＯＦＦの処理が開始した場合を考える。この場合、操作部１０５から制御部１０１にカメラ電源ＯＦＦのトリガが発行される（Ｐ５０９）。
【００５６】
これを受けた制御部１０１は、電源をＯＦＦにする前に、不揮発メモリ１０３に対して、現在の無線ＬＡＮ接続は、近接無線通信部１１２を用いることにより確立された接続であることを示す情報（接続形態）を書き込む（Ｐ５１０）。不揮発メモリ１０３には、切断時の無線ＬＡＮ接続が操作部１０５への操作で確立された接続である情報が記録される（Ｐ５１１）。
【００５７】
その後、制御部１０１は無線通信部１１１に対して無線ＬＡＮ接続の切断を要求する（Ｐ５１２）。無線通信部１１１は無線ＬＡＮ切断要求を受けて、スマートフォン２００との無線ＬＡＮ接続を切断する（Ｐ５１３）。
【００５８】
切断処理が完了すると、無線通信部１１１は制御部１０１に対して無線ＬＡＮ切断完了を通知する（Ｐ５１４）。制御部１０１は無線ＬＡＮ切断完了通知を受けて、図１で説明したデジタルカメラ１００を構成している各部への電源供給を停止する（Ｐ５１５）。デジタルカメラ１００の電源ＯＦＦ処理は以上で完了する。
【００５９】
さらに、ここでユーザが、再度電源をＯＮにすることを考える。
【００６０】
この場合、ユーザは再度電源ボタン１０５ｅを押下する。これにより、制御部１０１にカメラ電源ＯＮの指示が入力される（Ｐ５１６）。制御部１０１はカメラ電源ＯＮの指示を受けて、図１で説明したデジタルカメラ１００を構成している各部への電源供給を開始する（Ｐ５１７）。この時、制御部１０１は不揮発メモリ１０３から接続形態を読み出す（Ｐ５１８）。そして、制御部１０１は読み出した接続形態が、電源ＯＦＦの指示を受けた際の無線ＬＡＮ接続が近接無線通信部１１２を利用することにより確立された接続であることを示すか否かを確認する（Ｐ５１９）。
【００６１】
ここでは、無線ＬＡＮ接続が近接無線通信部１１２を利用することにより確立された接続であることを示すことが確認され、制御部１０１は、再接続すべきではないと判断する。なぜなら、ユーザはすでに、デジタルカメラ１００をスマートフォン２００に近づけることで、簡単に無線ＬＡＮ接続を確立することができることを体験しているため、再接続したい場合には再度近づけようとするのが自然だからである。つまり、デジタルカメラ１００をスマートフォン２００に近づけるのではなく、電源ボタンを押下してデジタルカメラ１００が起動された場合は、ユーザは再度接続を望んで電源をオンにしたのではないと予想される。この場合は、例えば撮影処理や再生処理を行うために電源をオンにすることが考えられる。したがって、制御部１０１はスマートフォン２００との無線ＬＡＮ接続を再度確立することを試みることなく本シーケンスを終える。
【００６２】
＜デジタルカメラ１００の無線ＬＡＮ接続の切断動作＞
図６（ａ）は本実施形態のデジタルカメラ１００の無線ＬＡＮ接続を切断する際の動作を示すフローチャートである。なお、本フローチャートに示す処理は、デジタルカメラ１００の制御部１０１が入力信号やプログラムに従い、デジタルカメラ１００の各部を制御することにより実現される。特に断らない限り、デジタルカメラ１００の処理を示す他のフローチャートでも同様である。また、このフローチャートは、デジタルカメラ１００の電源がＯＮの状態で開始する。
【００６３】
まず、ステップＳ６０１にて制御部１０１は、電源ＯＦＦ操作を受け付ける。具体的には、制御部１０１は、電源ボタン１０５ｅの状態を監視し、電源ボタン１０５ｅがユーザにより押下されたか否かをチェックする。押下されなければ、押下されるまで監視を継続する。押下されたならば、制御部１０１は電源をＯＦＦにするよう指示されたと判断する。
【００６４】
次に、ステップＳ６０２にて制御部１０１は、電源ＯＦＦの処理を開始する前に、スマートフォン２００と無線ＬＡＮ接続中であるか否かを判断する。接続中であると判断した場合、処理はステップＳ６０３に進む。
【００６５】
ステップＳ６０３では、制御部１０１は不揮発メモリ１０３に、スマートフォン２００との無線ＬＡＮ接続形態を記憶させる。ここでは、現在の無線ＬＡＮ接続が、近接無線通信を用いて確立されたか、ユーザのメニュー操作によって設定を入力されることで確立されたかを示す情報が記憶される。
【００６６】
その後、ステップＳ６０４で、制御部１０１は無線通信部１１１に対して無線ＬＡＮ切断を要求し、無線通信部１１１はスマートフォン２００との無線ＬＡＮ接続を切断する。切断が完了すると、無線通信部１１１がスマートフォン２００との無線ＬＡＮ接続の切断完了した旨を制御部１０１に通知する。
【００６７】
この通知に応じて、ステップＳ６０５にて制御部１０１は、図１で説明したデジタルカメラ１００を構成する各部への電源供給を停止する。
【００６８】
一方、ステップＳ６０２にて、制御部１０１が、スマートフォン２００と無線ＬＡＮ接続中でないと判断した場合には、ステップＳ６０３〜Ｓ６０４を経ることなくステップＳ６０５に進む。なお、この場合、不揮発メモリ１０３には接続形態の情報は記録されない。また、過去に接続形態の情報を記録している場合には、その情報を削除したうえでステップＳ６０５の処理を実行する。
【００６９】
以上が、本実施形態のデジタルカメラ１００の無線ＬＡＮ接続を切断する際の動作の説明である。
【００７０】
＜デジタルカメラ１００の無線ＬＡＮ接続の再接続動作＞
次に、図６（ａ）の処理により切断された無線ＬＡＮを再接続する際のデジタルカメラ１００の動作について説明する。
【００７１】
図６（ｂ）は本実施形態のデジタルカメラ１００の無線ＬＡＮ接続を再接続する際の動作を示すフローチャートである。また、このフローチャートは、デジタルカメラ１００の電源がＯＦＦの状態で、電源ボタン１０５ｅや再生ボタンなど、何らかの要因でデジタルカメラ１００の電源がＯＮになるよう指示されたことに応じて開始される。
【００７２】
まず、ステップＳ６０７にて、起動した制御部１０１は、不揮発メモリ１０３から接続形態を読み出し、前回の無線ＬＡＮ接続が、近接無線通信を用いて確立されたか、ユーザのメニュー操作によって設定を入力されることで確立されたかを判定する。なお、接続形態が記録されていなければ、電源ＯＦＦ時には無線ＬＡＮ接続されていなかったと判断する。ステップＳ６０７で制御部１０１が、無線ＬＡＮ接続が、操作部１０５を介したユーザのメニュー操作によって設定を入力されることで確立されたと判定した場合、処理はステップＳ６０８に進む。
【００７３】
ステップＳ６０８では、制御部１０１は、無線通信部１１１に対して無線ＬＡＮ接続を要求し、無線通信部１１１はスマートフォン２００と無線ＬＡＮ接続を実施する。
【００７４】
一方、ステップＳ６０７で制御部１０１が、操作部１０５を介したユーザのメニュー操作によって設定を入力されることで確立されていないと判定した場合、処理はステップＳ６０８を経ることなく終了する。つまり、再接続を試みることなく、終了する。この場合は、無線ＬＡＮ接続が近接無線通信を用いて確立されたと判定された場合、および電源ＯＦＦ時には無線ＬＡＮ接続されていなかったと判断された場合である。
【００７５】
以上が本実施例での無線ＬＡＮを再接続する際のデジタルカメラ１００の動作の説明である。
【００７６】
以上、本実施形態によれば、無線ＬＡＮ接続中にデジタルカメラ１００の電源がＯＦＦとなる場合、電源をＯＦＦにする前に、現在の接続がどのような手順で確立されたのかを示す情報を保持する。これにより、次回デジタルカメラ１００の電源をＯＮにしたときに、無線ＬＡＮを再接続するか否かを適切に制御することができる。
【００７７】
［第２の実施形態］
次に、第二の実施形態について説明する。本実施形態は第１の実施形態と共通する部分が多いため、本実施形態特有の部分を中心に説明する。
【００７８】
本実施形態のデジタルカメラ１００では、スマートフォン２００と近接したときのデジタルカメラ１００の状態に応じて、無線ＬＡＮの接続後に実行されるサービスが異なる。
【００７９】
図７（ａ）は、デジタルカメラ１００の表示部１０６にて、記録媒体１１０に記録されている画像が再生されていない状態で、スマートフォン２００を近接無線通信部１１２に近接させることで無線ＬＡＮ接続を行う様子を示す図である。表示部１０６にて記録媒体１１０に記録されている画像が再生されていない状態とは、例えば撮像モードでスルー画像が表示されている状態や、メニュー画面の表示中などが考えられる。この場合、無線ＬＡＮの接続後は、スマートフォン２００の操作によって利用するサービスを選択する状態となる。例えば、スマートフォン２００の画面にデジタルカメラ１００の記録媒体１１０に記録されている画像を一覧表示し、スマートフォン２００の操作によってデジタルカメラ１００からスマートフォン２００に画像を送信させることができる。また、スマートフォン２００からデジタルカメラ１００の撮像動作をリモートコントロールする機能を実行することができる。これらの機能は、スマートフォン２００がデジタルカメラ１００のユーザのスマートフォンである場合を想定している。
【００８０】
一方、図７（ｂ）はデジタルカメラ１００の表示部１０６に、記録媒体１１０に記録されている画像が再生されている状態で、スマートフォン２００を近接無線通信部１１２に近接させることで無線ＬＡＮ接続を行う様子を示す図である。表示部１０６に記録媒体１１０に記録されている画像が再生されている状態とは、例えば再生モードである。この場合、無線ＬＡＮの接続後は、再生中の画像を含む、記録媒体１１０に記録されている画像をデジタルカメラ１００への操作で選択してスマートフォン２００に送信する機能が実行される。図７（ｂ）の場合は、図７（ａ）の場合のように、スマートフォン２００からデジタルカメラ１００の記録媒体１１０に記録されている画像を閲覧することはできない。この機能制限は、スマートフォン２００がデジタルカメラ１００のユーザのスマートフォンでない場合（他人のスマートフォンである場合）を想定している。
【００８１】
さて、ここで、図７（ｂ）のように他人のスマートフォンと接続する場合は、一時的な接続であることが考えられる。つまり、再生中の画像を送信し終えたならば、再接続する必要はないと考えられる。また、一時的な接続であるから、再接続するときにはすでに他人のスマートフォンは近くに存在しないことも考えられる。
【００８２】
一方、図７（ａ）のように自分のスマートフォンと接続する場合は、再接続する際に、カメラとスマートフォンとが離れていることは考えにくい。また、自分のスマートフォンと接続する場合は、他人のスマートフォンと接続する場合よりも、継続的に接続を維持したいシーンが多いと考えられる。
【００８３】
そこで、本実施形態のデジタルカメラ１００は、無線ＬＡＮ接続が近接無線通信を利用して確立された接続であっても、スマートフォン２００と近接した際のデジタルカメラ１００の状態に応じて、電源ＯＮ時に再接続するか否かを適切に制御する。
【００８４】
＜再生モード以外の状態で近接無線通信によって確立した無線ＬＡＮ通信の再接続手順＞
図８は本実施形態におけるデジタルカメラ１００の表示部１０６に画像が再生されていない状態で、スマートフォン２００との近接により接続が確立した無線ＬＡＮの接続が切断された後、再接続する手順を示すシーケンス図である。
【００８５】
まず、ユーザは、表示部１０６に画像が再生されていない状態（ここでは、再生モード以外の状態）で、スマートフォン２００とデジタルカメラ１００の近接無線通信部１１２とを近接させる（Ｐ８０１）。これによりデジタルカメラ１００とスマートフォン２００の間でのＮＦＣ通信を行い、無線ＬＡＮ接続に用いる通信パラメータを共有する（Ｐ８０２）。
【００８６】
また、近接無線通信部１１２は制御部１０１に対してＮＦＣでの通信があったことを通知する（Ｐ８０３）。これに応じて制御部１０１は近接無線通信部１１２から通信パラメータを読み出し、無線通信部１１１に対して、読み出した通信パラメータを用いて無線ＬＡＮ接続を開始するよう要求する（Ｐ８０４）。
【００８７】
この要求に応じて無線通信部１１１はＡＰ機能を起動して、ビーコンの発信を開始し、ネットワークを生成する。
【００８８】
一方、スマートフォン２００はＰ８０２で取得した通信パラメータを用いてデジタルカメラ１００のネットワークに参加することで、デジタルカメラ１００とスマートフォン２００の無線ＬＡＮ接続を行う（Ｐ８０５）。スマートフォン２００との無線ＬＡＮ接続が完了した場合、無線通信部１１１は制御部１０１に対して無線ＬＡＮ接続完了を通知する（Ｐ８０６）。
【００８９】
この通知を受けた制御部１０１は不揮発メモリ１０３に対してスマートフォン２００との無線ＬＡＮ接続情報を、通信履歴として書き込む（Ｐ８０７）。不揮発メモリには制御部１０１から通知された接続情報が記憶される（Ｐ８０８）。デジタルカメラ１００とスマートフォン２００の無線ＬＡＮ接続処理は以上で完了する。
【００９０】
ここで、例えばユーザが電源ボタン１０５ｅを押下することによりデジタルカメラ１００の電源ＯＦＦの処理が開始した場合を考える。この場合、操作部１０５から制御部１０１にカメラ電源ＯＦＦのトリガが発行される（Ｐ８０９）。
【００９１】
これを受けた制御部１０１は、電源をＯＦＦにする前に、不揮発メモリ１０３に対して、接続形態の情報を書き込む（Ｐ８１０）。これにより、切断時の無線ＬＡＮ接続が、再生モード以外の状態でスマートフォン２００と近接無線通信部１１２とを近接させることにより確立した接続であることを示す情報が不揮発メモリ１０３に記録される（Ｐ８１１）。
【００９２】
その後、制御部１０１は無線通信部１１１に対して無線ＬＡＮ接続の切断を要求する（Ｐ８１２）。無線通信部１１１は無線ＬＡＮ切断要求を受けて、スマートフォン２００との無線ＬＡＮ接続を切断する（Ｐ８１３）。
【００９３】
切断処理が完了すると、無線通信部１１１は制御部１０１に対して無線ＬＡＮ切断完了を通知する（Ｐ８１４）。制御部１０１は無線ＬＡＮ切断完了通知を受けて、図１で説明したデジタルカメラ１００を構成している各部への電源供給を停止する（Ｐ８１５）。デジタルカメラ１００の電源ＯＦＦ処理は以上で完了する。
【００９４】
さらに、ここでユーザが、再度電源をＯＮにすることを考える。
【００９５】
この場合、ユーザは再度電源ボタン１０５ｅを押下する。これにより、制御部１０１にカメラ電源ＯＮの指示が入力される（Ｐ８１６）。制御部１０１はカメラ電源ＯＮの指示を受けて図１で説明したデジタルカメラ１００を構成している各部への電源供給を開始する（Ｐ８１７）。このとき、制御部１０１は不揮発メモリ１０３から接続形態を読み出す（Ｐ８１８）。
【００９６】
そして、制御部１０１は読み出した接続情報が、電源ＯＦＦの指示を受けた際の無線ＬＡＮ接続が近接無線通信部１１２を利用することにより確立された接続であることを示すか否かを確認する。さらに、無線ＬＡＮ接続が近接無線通信部１１２を利用することにより確立された接続であると判断した場合には、電源ＯＦＦの指示を受けた際の無線ＬＡＮ接続が、デジタルカメラ１００が再生モードでない状態で確立された接続であるか否かを判断する。
【００９７】
ここでは、電源ＯＦＦの指示を受けた際の無線ＬＡＮ接続が、デジタルカメラ１００が再生モードでない状態でスマートフォン２００と近接したことによって確立された接続であることが確認され、制御部１０１は、再接続すべきであると判断する。したがって、制御部１０１は不揮発メモリ１０３から接続情報を読み出す（Ｐ８２０）。そして、制御部１０１は無線通信部１１１に対して、読み出した接続情報を用いて無線ＬＡＮ接続を開始するよう要求する（Ｐ８２１）。無線通信部１１１は制御部１０１からの要求に応じて、接続情報に基づきスマートフォン２００と再度無線ＬＡＮ接続を行う（Ｐ８２２）。無線ＬＡＮ接続処理が完了すると、無線通信部１１１は制御部１０１にスマートフォン２００との無線ＬＡＮ接続が完了した旨を通知する（Ｐ８２３）。以上でデジタルカメラ１００とスマートフォン２００の無線ＬＡＮ再接続処理が完了する。
【００９８】
＜再生モードの状態で近接無線通信によって確立した無線ＬＡＮ通信の再接続手順＞
図９は本実施形態におけるデジタルカメラ１００の表示部１０６に画像が再生されている状態で、スマートフォン２００との近接により接続が確立した無線ＬＡＮの接続が切断された後、再接続する手順を示すシーケンス図である。
【００９９】
まず、ユーザは、表示部１０６に画像が再生されている状態（ここでは再生モード）でスマートフォン２００とデジタルカメラ１００の近接無線通信部１１２とを近接させる（Ｐ９０１）。これによりデジタルカメラ１００とスマートフォン２００の間でのＮＦＣ通信を行い、無線ＬＡＮ接続に用いる通信パラメータを共有する（Ｐ９０２）。
【０１００】
また、近接無線通信部１１２は制御部１０１に対してＮＦＣでの通信があったことを通知する（Ｐ９０３）。これに応じて制御部１０１は近接無線通信部１１２から通信パラメータを読み出し、無線通信部１１１に対して、読み出した通信パラメータを用いて無線ＬＡＮ接続を開始するよう要求する（Ｐ９０４）。
【０１０１】
この要求に応じて無線通信部１１１はＡＰ機能を起動して、ビーコンの発信を開始し、ネットワークを生成する。
【０１０２】
一方、スマートフォン２００はＰ８０２で取得した通信パラメータを用いてデジタルカメラ１００のネットワークに参加することで、デジタルカメラ１００とスマートフォン２００の無線ＬＡＮ接続を行う（Ｐ９０５）。スマートフォン２００との無線ＬＡＮ接続が完了した場合、無線通信部１１１は制御部１０１に対して無線ＬＡＮ接続完了を通知する（Ｐ９０６）。
【０１０３】
この通知を受けた制御部１０１は不揮発メモリ１０３に対してスマートフォン２００との無線ＬＡＮ接続情報を、通信履歴として書き込む（Ｐ９０７）。不揮発メモリには制御部１０１から通知された接続情報が記憶される（Ｐ９０８）。デジタルカメラ１００とスマートフォン２００の無線ＬＡＮ接続処理は以上で完了する。
【０１０４】
デジタルカメラ１００がスマートフォン２００との無線ＬＡＮ接続を確立させた後、制御部１０１は記録媒体１１０に対して再生している画像の取得要求を行う（Ｐ９０９）。記録媒体１１０は制御部１０１からの要求を受けて再生している画像を読み出し（Ｐ９１０）、制御部１０１に対して通知する（Ｐ９１１）。制御部１０１は記録媒体１１０から再生画像を取得したら無線通信部１１１に対して画像転送要求を行う（Ｐ９１２）。無線通信部１１１はスマートフォン２００に対して画像転送を行う（Ｐ９１３）。画像転送が完了した場合、無線通信部１１１は制御部１０１に対して画像転送完了の通知を行う（Ｐ９１４）。
【０１０５】
ここで、例えばユーザが電源ボタン１０５ｅを押下することによりデジタルカメラ１００の電源ＯＦＦの処理が開始した場合を考える。この場合、操作部１０５から制御部１０１にカメラ電源ＯＦＦのトリガが発行される（Ｐ９１５）。
【０１０６】
これを受けた制御部１０１は、電源をＯＦＦにする前に、不揮発メモリ１０３に対して接続形態を書き込む（Ｐ９１６）。ここでは、現在の無線ＬＡＮ接続は、表示部１０６に画像が再生されている状態で、スマートフォン２００と近接無線通信部１１２とを近接させることにより確立された接続であることを示す情報が接続形態をとして書き込まれる（Ｐ９１７）。
【０１０７】
その後、制御部１０１は無線通信部１１１に対して無線ＬＡＮ切断を要求する（Ｐ９１８）。無線通信部１１１は無線ＬＡＮ切断要求を受けて、スマートフォン２００との無線ＬＡＮ接続を切断する（Ｐ９１９）。
【０１０８】
切断処理が完了すると、無線通信部１１１は制御部１０１に対して無線ＬＡＮ切断完了を通知する（Ｐ９２０）。切断完了後、制御部１０１は図１で説明したデジタルカメラ１００を構成している各周辺装置への電源供給を停止する（Ｐ９２１）。デジタルカメラ１００の電源ＯＦＦ処理は以上で完了する。
【０１０９】
さらに、ここでユーザが、再度電源をＯＮにすることを考える。
【０１１０】
この場合、ユーザは再度電源ボタン１０５ｅを押下する。これにより、制御部１０１にカメラ電源ＯＮの指示が入力される（Ｐ９２２）。制御部１０１はカメラ電源ＯＮの指示を受けて、図１で説明したデジタルカメラ１００を構成している各部への電源供給を開始する（Ｐ９２３）。このとき、制御部１０１は不揮発メモリ１０３から接続形態を読み出す（Ｐ９２４）。
【０１１１】
そして、制御部１０１は読み出した接続情報が、電源ＯＦＦの指示を受けた際の無線ＬＡＮ接続が近接無線通信部１１２を利用することにより確立された接続であることを示すか否かを確認する。さらに、無線ＬＡＮ接続が近接無線通信部１１２を利用することにより確立された接続であると判断した場合には、電源ＯＦＦの指示を受けた際の無線ＬＡＮ接続が、デジタルカメラ１００が再生モードの状態で確立された接続であるか否かを判断する。
【０１１２】
ここでは、電源ＯＦＦの指示を受けた際の無線ＬＡＮ接続が、デジタルカメラ１００が再生モードの状態でスマートフォン２００と近接したことによって確立された接続であることが確認され、制御部１０１は、再接続すべきでないと判断する。したがって、制御部１０１はスマートフォン２００との無線ＬＡＮ接続を再度確立することを試みることなく本シーケンスを終える。
【０１１３】
＜デジタルカメラ１００の無線ＬＡＮ接続の切断動作＞
図１０（ａ）は本実施形態のデジタルカメラ１００の無線ＬＡＮ接続を切断する際の動作を示すフローチャートである。また、このフローチャートは、デジタルカメラ１００の電源がＯＮの状態で開始する。
【０１１４】
ステップＳ１００１〜ステップＳ１００２は、図６（ａ）のステップＳ６０１〜Ｓ６０２と同様の処理が実行される。
【０１１５】
ステップＳ１００３では、制御部１０１は不揮発メモリ１０３に、スマートフォン２００との無線ＬＡＮ接続形態を記憶させる。ここでは、現在接続中の無線ＬＡＮの通信が、近接無線通信を用いて確立されたか、ユーザのメニュー操作によって設定を入力されることで確立されたかを示す情報が記憶される。更に、現在接続中の無線ＬＡＮの通信が、カメラの状態が再生モードのときに開始されたか、再生モードでないときに開始されたかを示す情報も記憶される。
【０１１６】
ステップＳ１００４以降は、図６（ａ）のＳ６０４以降と同様の処理が実行される。
【０１１７】
以上が、本実施形態のデジタルカメラ１００の無線ＬＡＮ接続を切断する際の動作の説明である。
【０１１８】
＜デジタルカメラ１００の無線ＬＡＮ接続の再接続動作＞
次に、切断された無線ＬＡＮを再接続する際のデジタルカメラ１００の動作について説明する。
【０１１９】
図１０（ｂ）は本実施形態のデジタルカメラ１００の無線ＬＡＮ接続を再接続する際の動作を示すフローチャートである。また、このフローチャートは、デジタルカメラ１００の電源がＯＦＦの状態で、電源ボタン１０５ｅや再生ボタンなど、何らかの要因でデジタルカメラ１００の電源がＯＮになるよう指示されたことに応じて開始される。
【０１２０】
ステップＳ１００７は、図６（ｂ）のステップＳ６０７と同様の処理が実行される。
【０１２１】
ステップＳ１００７で制御部１０１が、操作部１０５により無線ＬＡＮ接続されていないと判定した場合、処理はステップＳ１００８に進む。
【０１２２】
ステップＳ１００８では、制御部１０１は、電源ＯＦＦの指示を受けた際の無線ＬＡＮ接続が、デジタルカメラ１００が再生モードの状態でスマートフォン２００と近接したことによって確立された接続であるか否かを判断する。
【０１２３】
ここで、制御部１０１が、電源ＯＦＦの指示を受けた際の無線ＬＡＮ接続が、デジタルカメラ１００が再生モードの状態でスマートフォン２００と近接したことによって確立された接続であると判断した場合、処理はステップＳ１００９に進む。
【０１２４】
ステップＳ１００９では、図６（ｂ）のステップＳ６０８と同様の処理が実行され、無線ＬＡＮの再接続が試みられる。
【０１２５】
一方、ステップＳ１００８で制御部１０１が、電源ＯＦＦの指示を受けた際の無線ＬＡＮ接続が、デジタルカメラ１００が再生モードの状態で確立された接続でないと判断した場合、ステップＳ１００９を経ることなく、処理を終了する。つまり、再接続を試みることなく、終了する。
【０１２６】
以上が本実施例での無線ＬＡＮを再接続する際のデジタルカメラ１００の動作の説明である。
【０１２７】
以上、本実施形態によれば、近接することにより無線ＬＡＮが確立された場合に、近接時のデジタルカメラ１００の状態に関する情報を保持する。これにより、次回デジタルカメラ１００の電源をＯＮにしたときに、無線ＬＡＮを再接続するか否かを適切に制御することができる。
【０１２８】
［その他の実施形態］
上述の実施形態では、近接無線通信としてＮＦＣを例に挙げて説明した。これに加えて近距離無線通信部を備えてもよい。例えば図１１のように近接無線通信部１１２に加えて、近距離無線通信部１１３を備える。近距離無線通信部１１３は、例えば無線通信のためのアンテナと無線信号を処理するため変復調回路や通信コントローラから構成される。近距離無線通信部１１３は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。本実施形態においてＢｌｕｅｔｏｏｔｈ（登録商標）通信は、低消費電力であるＢｌｕｅｔｏｏｔｈ（登録商標）  Ｌｏｗ  Ｅｎｅｒｇｙのバージョン４．０を採用する。このＢｌｕｅｔｏｏｔｈ（登録商標）  Ｌｏｗ  Ｅｎｅｒｇｙの通信は、ＮＦＣと比べて通信可能な範囲が広い。また、Ｂｌｕｅｔｏｏｔｈ（登録商標）  Ｌｏｗ  Ｅｎｅｒｇｙの通信は、無線ＬＡＮ通信と比べて通信速度が遅い。その一方で、Ｂｌｕｅｔｏｏｔｈ（登録商標）  Ｌｏｗ  Ｅｎｅｒｇｙの通信は、無線ＬＡＮ通信と比べて消費電力が少ない。そのため、例えばカメラのユーザの携帯電話と、カメラとが常時接続することを想定して用いられる。この場合、近接させずとも、どちらかの機器からの操作により、他方の機器をリモートコントロールしたり、無線ＬＡＮ接続に移行したりする指示を送ることができる。
【０１２９】
なお、Ｂｌｕｅｔｏｏｔｈ（登録商標）  Ｌｏｗ  Ｅｎｅｒｇｙと無線ＬＡＮは、同じ２．４ＧＨｚ帯の通信規格であるため、同時に用いると電波干渉により、通信が阻害される虞がある。そのため、Ｂｌｕｅｔｏｏｔｈ（登録商標）  Ｌｏｗ  Ｅｎｅｒｇｙと無線ＬＡＮは排他的に用いる。
【０１３０】
従って、無線ＬＡＮ接続中には、Ｂｌｕｅｔｏｏｔｈ（登録商標）  Ｌｏｗ  Ｅｎｅｒｇｙの通信はＯＦＦになる。また、電源ＯＮ時の無線ＬＡＮ再接続する際にも、Ｂｌｕｅｔｏｏｔｈ（登録商標）  Ｌｏｗ  Ｅｎｅｒｇｙの通信はＯＦＦになる。一方、無線ＬＡＮ再接続を行わない場合には、自動的にＢｌｕｅｔｏｏｔｈ（登録商標）  Ｌｏｗ  Ｅｎｅｒｇｙの通信がＯＮになり、アドバタイズの定期的な送信を開始する。なお、前述のようにＢｌｕｅｔｏｏｔｈ（登録商標）  Ｌｏｗ  Ｅｎｅｒｇｙの通信は消費電力が少ないため、デジタルカメラ１００の制御部に通電されていない状態でも、近距離無線通信部１１３による通信が可能である。そこで、デジタルカメラ１００が、スマートフォン２００との通信中に電源をＯＦＦにされる場合、無線ＬＡＮの通信を切断して無線通信部１１１を無効にすることに併せて、近距離無線通信部１１３を有効にしてアドバタイズの発信を開始する。例えばカメラがオートパワーオフによって電源がＯＦＦになる場合のひとつとして、ユーザが、主にスマートフォン２００を利用しており、カメラを操作していない場合が考えられる。このような場合であっても、近距離無線通信部１１３が有効になるため、スマートフォン２００とＢｌｕｅｔｏｏｔｈ（登録商標）  Ｌｏｗ  Ｅｎｅｒｇｙの通信を行うことができる。ゆえに、スマートフォン２００を操作しているユーザは、カメラを操作することなく、スマートフォン２００からリモートでカメラの電源をＯＮにすることができ、より便利である。
【０１３１】
また、上述の実施形態では、電源ボタンでカメラの電源をＯＦＦする場合を例に挙げて説明したが、これに限られるものではない。例えばカード交換時にカバーオープンを検知したことによる自動電源ＯＦＦ、電池交換時のカバーオープン検知による自動電源ＯＦＦの場合にも、同様の処理を行ってもよい。あるいは所定時間ユーザ操作がないことを検知して自動的に電源をＯＦＦにするオートパワーオフ機能による電源ＯＦＦの場合にも、同様の処理を行ってもよい。
【０１３２】
なお、これらの要因による電源ＯＦＦに比べて、電源ボタンの操作による電源ＯＦＦは、誤操作ではなく、ユーザが明示的に電源をＯＦＦにする指示をしたと解釈することもできる。そこで、例えば電源がＯＦＦになる前に、どのような要因で電源がＯＦＦになるのかを記憶しておき、再度電源がＯＮになった場合には、電源がＯＦＦになった要因に応じて、図６（ｂ）や図１０（ｂ）の処理を実行するか否かを判断してもよい。例えば、オートパワーオフ機能による電源ＯＦＦの場合には、次の電源ＯＮ時に図６（ｂ）や図１０（ｂ）の処理を実行し、電源ボタンの操作による電源ＯＦＦの場合には、次の電源ＯＮ時に図６（ｂ）や図１０（ｂ）の処理を実行しないようにしてもよい。つまり、電源ボタンの操作による電源ＯＦＦの場合には、電源ＯＦＦにする際の通信が近接無線通信により確立されたか、メニュー操作により確立されたかを判断することなく、再接続しないようにする。
【０１３３】
あるいは、電源ボタンの操作による電源ＯＦＦの場合には操作ミスが考えられる。その一方で、オートパワーオフによる電源ＯＦＦの場合は、ユーザがこれ以上操作する意思がないとも考えられる。そこで、電源ボタンの操作による電源ＯＦＦの場合には次の電源ＯＮ時に図６（ｂ）や図１０（ｂ）の処理を実行し、オートパワーオフによる電源ＯＦＦの場合は、次の電源ＯＮ時に図６（ｂ）や図１０（ｂ）の処理を実行しないようにしてもよい。つまり、オートパワーオフによる電源ＯＦＦの場合には、電源ＯＦＦにする際の通信が近接無線通信により確立されたか、メニュー操作により確立されたかを判断することなく、再接続しないようにする。
【０１３４】
また、上述の第二の実施形態では、無線ＬＡＮを再接続するか否かを、前回の無線ＬＡＮの通信を確立する際の近接時のデジタルカメラ１００の状態に応じて切り換えることを例に挙げて述べた。これについては、無線ＬＡＮを再接続するか否かを、近接時のデジタルカメラ１００の状態ではなく、切断時の無線ＬＡＮの通信モードに応じて切り換えてもよい。この場合、無線ＬＡＮの通信モードが、近接時のデジタルカメラのモードに応じたモードとなる。例えば、デジタルカメラ１００が再生モード中に近接することで無線ＬＡＮの通信を確立した場合には、デジタルカメラ１００への操作で画像をスマートフォン２００に送信するモードで動作する。また、デジタルカメラ１００が再生モードでない他のモード中に近接することで無線ＬＡＮの通信を確立した場合には、スマートフォン２００への操作で、デジタルカメラ１００からスマートフォン２００に画像を送信するモードで動作する。
【０１３５】
そして、電源ＯＦＦとなる場合に、無線ＬＡＮの通信モードがデジタルカメラ１００への操作で画像をスマートフォン２００に送信するモードであることを示す情報を保持しておき、次回の電源ＯＮ時にはその情報を参照して、再接続しないようにする。また、電源ＯＦＦとなる場合に、無線ＬＡＮの通信モードがスマートフォン２００への操作で画像をデジタルカメラ１００からスマートフォン２００に送信するモードであることを示す情報を保持しておき、次回の電源ＯＮ時にはその情報を参照して、再接続する。なお、この場合には再接続後には、前回の無線ＬＡＮの切断時のモードに自動的に遷移すると、よりユーザビリティが高まる。
【０１３６】
また、再接続処理が開始され、再接続が確立する前に、再び誤って電源がＯＦＦになる場合も考えられる。この場合、すでに記憶されている接続情報を変えることなく電源をＯＦＦにする。
【０１３７】
本発明は、上述の実施形態の１以上の機能を実現するプログラムを、ネットワーク又は記録媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017085518.tif 000003
【図２】
2017085518.tif 000004
【図３】
2017085518.tif 000005
【図４】
2017085518.tif 000006
【図５】
2017085518.tif 000007
【図６】
2017085518.tif 000008
【図７】
2017085518.tif 000009
【図８】
2017085518.tif 000010
【図９】
2017085518.tif 000011
【図１０】
2017085518.tif 000012
【図１１】
2017085518.tif 000013